(57)【要約】【課題】本発明は、立ち上がり時間を短縮する原稿サイズ検出装置に関する。【解決手段】画像読取装置１は、信号処理回路２２の立ち上げ完了を待たずに光源１２をオンにするとともに、原稿サイズ検知部２４の比較器に基準電圧入力部から比較基準電圧を入力し、ＣＣＤ９からの画像信号を立ち上がり完了前の信号処理回路２２で信号処理して、原稿サイズ検知部２４の比較器で比較基準電圧と比較し、比較結果を端部位置検出結果信号として原稿サイズ検知部２４のメモリに記憶する。画像読取装置１は、立ち上げ完了後に、原稿サイズ検知部２４のメモリの端部位置検出結果信号に基づいて原稿サイズを判別する。したがって、信号処理回路２２の立ち上げの完了を待たずに、原稿のサイズを検知するために必要な情報を取得し、原稿サイズの判別を速やかに行って、立ち上がり時間を短縮することができる。【選択図】          図３
2007060211.tif 000002
【特許請求の範囲】
【請求項１】
光源から原稿に光を照射し当該原稿で反射された光を光電変換素子で受光して画像信号に変換し、当該光電変換素子の出力する画像信号を信号処理手段で信号処理し、比較手段で、当該信号処理された画像信号を所定の比較信号値と比較して原稿の端部位置を検出し、当該比較手段の出力する端部位置検出結果信号に基づいて原稿サイズを検出する原稿サイズ検出装置であって、前記比較手段の出力する端部位置検出結果信号を記憶する記憶手段と、前記比較手段に前記比較信号値として所定の比較基準信号値を入力する基準値入力手段と、を備え、前記信号処理手段の立ち上げ完了前に、前記光源を点灯するとともに、前記基準値入力手段から前記比較基準信号を前記比較手段に入力して、当該立ち上がり完了前の信号処理手段で信号処理された画像信号を当該比較手段で当該比較基準信号値と比較して、当該比較手段の出力する端部位置検出結果信号を前記記憶手段に記憶することを特徴とする原稿サイズ検出装置。
【請求項２】
前記信号処理手段は、前記画像信号のゲインを調整するゲイン調整手段を備え、前記原稿サイズ検出装置は、当該ゲイン調整手段に所定の固定ゲイン値を設定するゲイン固定手段を備え、前記立ち上げ完了前の期間に、当該ゲイン固定手段が当該ゲイン調整手段に当該固定ゲインを設定して、当該ゲイン調整手段が、当該ゲイン固定手段の設定する固定ゲイン値で前記光電変換手段からの前記画像信号をゲイン調整することを特徴とする請求項１記載の原稿サイズ検出装置。
【請求項３】
前記信号処理手段は、前記画像信号のオフセットレベルを調整するオフセット調整手段を備え、前記原稿サイズ検出装置は、当該オフセット調整手段に所定の固定オフセット値を設定するオフセット固定手段を備え、前記立ち上げ完了前の期間に、当該オフセット固定手段が当該オフセット調整手段に当該固定オフセット値を設定して、当該オフセット調整手段が、当該オフセット固定手段の設定する固定オフセット値で前記光電変換手段からの前記画像信号をオフセット調整することを特徴とする請求項１または請求項２記載の原稿サイズ検出装置。
【請求項４】
前記原稿サイズ検出装置は、原稿サイズを検知するのに必要な原稿端部位置を比較対象位置として前記比較手段に対して指定する端部位置指定手段を備え、前記比較手段は、当該端部位置指定手段で指定される比較対象位置でのみ前記画像信号を前記比較基準信号値と比較し、前記記憶手段が当該比較手段の端部位置検出結果信号を記憶することを特徴とする請求項１から請求項３のいずれかに記載の原稿サイズ検出装置。
【請求項５】
前記原稿サイズ検出装置は、原稿サイズを検知するのに必要な原稿端部位置を含む所定幅の比較対象領域を比較対象位置として前記比較手段に対して指定する端部位置指定手段と、前記比較手段の原稿有りを示す端部位置検出結果信号の回数をカウントするカウント手段と、を備え、前記比較手段が、当該端部位置指定手段で指定される比較対象領域でのみ前記画像信号を前記比較基準信号値と比較し、当該比較手段の原稿有りの端部位置検出結果信号の回数を前記カウント手段でカウントし、前記記憶手段が、当該カウント手段のカウント結果を記憶して、当該記憶手段のカウント結果に基づいて原稿サイズを検出することを特徴とする請求項１から請求項３のいずれかに記載の原稿サイズ検出装置。
【発明の詳細な説明】
【技術分野】
【０００１】
本発明は、原稿サイズ検出装置に関し、詳細には、原稿サイズ検知を速やかに行って画像読取装置の立ち上がり時間を短縮する原稿サイズ検出装置に関する。
【背景技術】
【０００２】
近年、環境保全の目的から、機器のエネルギー消費効率向上が重要になってきている。また、ユザー側にとっても、使用してないときの機器のエネルギー消費は経済的にも無駄である。
【０００３】
そこで、スキャナ、ファクシミリ装置、複写装置、複合装置等の画像読取装置においても、消費電力を削減するために、省エネルギーモードを備えたものが従来から出現しており、画像読取動作時以外の待機状態において、所定時間待機状態が経過すると、省エネルギーモードに移行して、操作パネル上の液晶ディスプレイを非表示にしたり、読取部への電源の供給を削減または停止すること等によって、画像読取装置としてのシステム全体の消費電力を低減させている。
【０００４】
また、このような画像読取装置は、省エネルギーモードにおいて、原稿のコンタクトガラス上への原稿のセットを行うために原稿押さえ板(圧板）を開閉操作すると、当該原稿押さえ板の開閉操作を検出して、省エネルギーモードから待機モードへ復帰するが、この省エネルギーモードから待機モードへの復帰時に要する時間、すなわち、復帰時間の短縮も求められている。
【０００５】
そこで、従来、スタンバイ状態（待機モード）から省電力状態（省エネルギーモード）に移行するのに先立って走査体を白基準板の下に移動させ、省電力状態からスタンバイ状態に復帰する際に、画像読取手段でこの白基準板を読み取って所定の復帰処理を行い、また、原稿押さえ部材の閉じ動作時に、ランプ（画像読取手段の光源）を瞬間的に点灯して、読み取った１ライン分の画像データに基づいて、原稿のサイズを自動的に検知する技術が提案されている（特許文献１参照）。
【０００６】
すなわち、この従来技術は、省エネルギーモードからの復帰動作に際して、原稿サイズ検知機能をより早いタイミングで有効に作動させて、復帰時間の短縮化を図っている。
【０００７】
【特許文献１】特開２００４−１０９６３９号公報
【発明の開示】
【発明が解決しようとする課題】
【０００８】
しかしながら、上記従来技術にあっては、原稿サイズを検知するタイミングの遅れが画像読取装置の省エネルギーモードからの復帰時間を送らせている原因であり、この原稿のサイズを検知するタイミングの遅れの要因が、復帰時に、光源やミラー等の光学素子等を搭載したキャリッジ（走査体）を白基準板の下に移動させることであるとして、省エネルギーモードへの移行時に走査体を白基準板の下に移動させるとともに、原稿押さえ板の閉じ動作時に光源を点灯させて原稿サイズの検知を行っているため、原稿サイズの検知タイミングの遅れを十分に解決することができず、改良の必要があった。
【０００９】
すなわち、省エネルギーモードからの復帰時に、光学素子の出力を信号処理して出力する信号処理回路に起因しても、原稿のサイズを検知するタイミングの遅れが発生する。
【００１０】
そこで、本発明は、信号処理回路に起因する原稿サイズ検知タイミングの遅れを解消して、速やかに原稿サイズを検知し、画像読取装置の省エネルギーモードからの復帰時間を短縮させることのできる原稿サイズ検出装置を提供することを目的としている。
【課題を解決するための手段】
【００１１】
請求項１記載の発明の原稿サイズ検出装置は、光源から原稿に光を照射し当該原稿で反射された光を光電変換素子で受光して画像信号に変換し、当該光電変換素子の出力する画像信号を信号処理手段で信号処理し、比較手段で、当該信号処理された画像信号を所定の比較信号値と比較して原稿の端部位置を検出し、当該比較手段の出力する端部位置検出結果信号に基づいて原稿サイズを検出する原稿サイズ検出装置であって、前記比較手段の出力する端部位置検出結果信号を記憶する記憶手段と、前記比較手段に前記比較信号値として所定の比較基準信号値を入力する基準値入力手段と、を備え、前記信号処理手段の立ち上げ完了前に、前記光源を点灯するとともに、前記基準値入力手段から前記比較基準信号を前記比較手段に入力して、当該立ち上がり完了前の信号処理手段で信号処理された画像信号を当該比較手段で当該比較基準信号値と比較して、当該比較手段の出力する端部位置検出結果信号を前記記憶手段に記憶することにより、上記目的を達成している。
【００１２】
この場合、例えば、請求項２に記載するように、前記信号処理手段は、前記画像信号のゲインを調整するゲイン調整手段を備え、前記原稿サイズ検出装置は、当該ゲイン調整手段に所定の固定ゲイン値を設定するゲイン固定手段を備え、前記立ち上げ完了前の期間に、当該ゲイン固定手段が当該ゲイン調整手段に当該固定ゲインを設定して、当該ゲイン調整手段が、当該ゲイン固定手段の設定する固定ゲイン値で前記光電変換手段からの前記画像信号をゲイン調整するものであってもよい。
【００１３】
また、例えば、請求項３に記載するように、前記信号処理手段は、前記画像信号のオフセットレベルを調整するオフセット調整手段を備え、前記原稿サイズ検出装置は、当該オフセット調整手段に所定の固定オフセット値を設定するオフセット固定手段を備え、前記立ち上げ完了前の期間に、当該オフセット固定手段が当該オフセット調整手段に当該固定オフセット値を設定して、当該オフセット調整手段が、当該オフセット固定手段の設定する固定オフセット値で前記光電変換手段からの前記画像信号をオフセット調整するものであってもよい。
【００１４】
さらに、例えば、請求項４に記載するように、前記原稿サイズ検出装置は、原稿サイズを検知するのに必要な原稿端部位置を比較対象位置として前記比較手段に対して指定する端部位置指定手段を備え、前記比較手段は、当該端部位置指定手段で指定される比較対象位置でのみ前記画像信号を前記比較基準信号値と比較し、前記記憶手段が当該比較手段の端部位置検出結果信号を記憶するものであってもよい。
【００１５】
また、例えば、請求項５に記載するように、前記原稿サイズ検出装置は、原稿サイズを検知するのに必要な原稿端部位置を含む所定幅の比較対象領域を比較対象位置として前記比較手段に対して指定する端部位置指定手段と、前記比較手段の原稿有りを示す端部位置検出結果信号の回数をカウントするカウント手段と、を備え、前記比較手段が、当該端部位置指定手段で指定される比較対象領域でのみ前記画像信号を前記比較基準信号値と比較し、当該比較手段の原稿有りの端部位置検出結果信号の回数を前記カウント手段でカウントし、前記記憶手段が、当該カウント手段のカウント結果を記憶して、当該記憶手段のカウント結果に基づいて原稿サイズを検出するものであってもよい。
【発明の効果】
【００１６】
本発明の原稿サイズ検出装置によれば、信号処理手段の立ち上げ完了前に、光源を点灯し、当該立ち上げ完了前の信号処理手段で信号処理された画像信号を、基準値入力手段から入力される比較基準信号と比較して、端部位置検出結果信号を記憶手段に記憶するので、立ち上げ完了後等に、記憶手段の端部位置検出結果信号に基づいて原稿サイズを判別することで、信号処理手段の立ち上がり完了を待つことなく、速やかに原稿サイズを検知することができ、省エネルギーモードからの復帰時間等の立ち上がり時間を短縮させることができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図１３は、本発明の原稿サイズ検出装置の一実施例を示す図であり、図１は、本発明の原稿サイズ検出装置の一実施例を適用した画像読取装置１の要部概略構成図である。
【００１９】
図１において、画像読取装置１は、本体筐体２の上部に、コンタクトガラス３が配設されており、コンタクトガラス３上には、読取対象の原稿がセットされる。画像読取装置１は、コンタクトガラス３上にセットされる原稿をコンタクトガラス３に押しつける圧板４が、図２に示すように、画像読取装置１の奥側に、開閉可能に取り付けられており、本体筐体２の上部には、圧板４の開閉角度を検出する圧板角度検出部５が配設されている。
【００２０】
画像読取装置１は、コンタクトガラス３の下方であって本体筐体２内に、副走査方向（図１の左右方向）に移動する第１キャリッジ６と第２キャリッジ７が配設され、さらに、結像レンズ８及び光電変換素子としてのＣＣＤ（Charge Coupled Device ）９等を搭載するセンサーボードユニット（以下、ＳＢＵという。）１０等を収納する光学エレメント１１が配設されている。
【００２１】
第１キャリッジ６は、コンタクトガラス３上に載置される原稿に読取光を照射する光源（キセノンランプ等）１２と第１ミラー１３を搭載しており、第２キャリッジ７は、第２ミラー１４及び第３ミラー１５を搭載している。第１キャリッジ６と第２キャリッジ７は、図示しないモータにより副走査方向に移動され、コンタクトガラス３上の原稿を読み取る際には、第１キャリッジ６と第２キャリッジ７との速度比が、２：１になるように移動されて、原稿面から光学エレメント１１のＣＣＤ９の結像面までの距離が一定になるように制御される。
【００２２】
ＳＢＵ１０は、本体筐体２内の本体部１７に配設されている主制御部１８に接続されており、ＣＣＤ９の光電変換した画像信号を主制御部１８に出力する。
【００２３】
また、画像読取装置１は、コンタクトガラス３の原稿読み取りの始点よりも第１キャリッジ６の移動方向上流側に白基準板１９が配設されており、シェーディング補正の基準をこの白基準板１９の濃度に基づいて設定することができるようになっている。すなわち、画像読取装置１は、原稿の読み取り前に、第１キャリッジ６と第２キャリッジ７を白基準板１９の読取位置に移動し、当該白基準板１９に光源１２から光を照射して、白基準板１９からの反射光を第１ミラー１３、第２ミラー１４、第３ミラー１５で順次反射して結像レンズ８に入射させ、結像レンズ８でＣＣＤ９に縮小結像させて、ＣＣＤ９が入射光を光電変換することで、シェーディング補正データを取得する。
【００２４】
その後、画像読取装置１は、第１キャリッジ６と第２キャリッジ７をホームポジション位置に移動させて、当該ホームポジション位置から、コンタクトガラス３上に載置されている原稿に光源１２から光を照射しつつ、上述のように、第１キャリッジ６と第２キャリッジ７を２：１の速度比で副走査方向に移動させて、原稿で反射される反射光を、第１ミラー１３、第２ミラー１４、第３ミラー１５で順次反射して結像レンズ８に入射させ、結像レンズ８でＣＣＤ９に縮小結像させて、ＣＣＤ９が入射光を光電変換することで、原稿の画像を読み取る。
【００２５】
画像読取装置１は、原稿の読み取りを終了すると、第１キャリッジ６及び第２キャリッジ７を、読取開始位置であるホームポジション位置まで戻し、次の原稿の読み取りに備えるというリターン動作を行う。
【００２６】
そして、画像読取装置１は、図３に示すように、ブロック構成されており、上記ＳＢＵ１０、光源１１、圧板角度検出部５、省電力復帰ＳＷ２０、モータ制御部２１及び本体部１７等を備えており、ＳＢＵ１０は、上記ＣＣＤ９の他に、信号処理回路２２、信号処理回路制御部２３、原稿サイズ検知部２４及び駆動回路２５等を備えている。また、本体部１７は、上記主制御部１８を備えているとともに、省電力制御部２６及び画像処理部２７等を備えており、主制御部１８は、立ち上げ制御部２８を備えている。
【００２７】
主制御部１８は、光源１２の点灯制御を行い、圧板角度検出部５の検出信号が入力され、また、この圧板角度検出部５の検出信号は、省電力制御部２６にも入力される。圧板角度検出部５は、コンタクトガラス３上への原稿のセットや取り除きを行うのにコンタクトガラス３の表面を開放し、また、閉じるために、圧板４が開閉されると、当該圧板４の開閉角度を検出して、検出信号を主制御部１８及び省電力制御部２６に出力する。省電力復帰ＳＷ２０は、省エネルギーモード状態の画像読取装置１を通常モードに復帰させるためのスイッチで、図示しない操作部等に設けられ、操作信号を省電力制御部２６に出力する。モータ制御部２１は、第１キャリッジ６及び第２キャリッジ７等を駆動するモータを駆動制御するものであり、主制御部１８によって制御される。
【００２８】
信号処理回路（信号処理手段）２２は、ＣＣＤ９の出力する画像信号が入力され、信号処理回路制御部２３の制御下で動作して、ＣＣＤ９からの画像信号に必要な信号処理を施して、ＳＢＵ１０の原稿サイズ検出出装置として機能する原稿サイズ検知部２４及び本体部１７の画像処理部２７に出力する。
【００２９】
立ち上げ制御部２８は、シリアル制御により信号処理回路制御部２３の立ち上げを制御し、原稿サイズ検知部２４及び信号処理回路２２は、その出力を、本体部１７のシリアルポートに出力する。
【００３０】
上記ＳＢＵ１０は、図４に示すようにブロック構成されており、上記信号処理回路２２、信号処理回路制御部２３、原稿サイズ検知部２４及び駆動回路２５を備えているとともに、ＣＣＤ９の後段に接続されているアナログ処理回路２９等を備えている。アナログ処理回路２９は、ＣＣＤ９の出力するアナログの画像信号を増幅して、信号処理回路２２に出力する。
【００３１】
信号処理回路２２は、クランプ回路３１、ＡＧＣ（オート・ゲイン・コントロール、ＰＧＡ：Programable gain amplifier）回路３２、ＡＤＣ（アナログ・デジタル・コンバータ）回路３３及びオフセット調整回路３４からなる。
【００３２】
クランプ回路３１は、アナログ処理回路２９で増幅されたＣＣＤ９の画像信号が入力され、この画像信号を直流クランプ処理して、ＡＧＣ回路３２に出力する。この直流クランプ処理とは、ＣＣＤ２８の出力の信号成分である交流（ＡＣ）成分のみを伝達させ、直流（ＤＣ）成分はＣＣＤ９の出力とは別の（所望の）電位を重畳する処理である。ＡＧＣ回路（ゲイン調整手段）３２は、クランプ回路３１で直流クランプ処理されたＣＣＤ２８の出力信号の最大レベル（白レベル）のばらつきを吸収する目的で、ＡＤ変換後のデータがほぼ同じレベルになるようにプログラマブルにゲインを設定して、ＡＤＣ回路３３に出力し、ＡＤＣ回路３３は、ＡＧＣ回路３２で所望のゲインに設定された画像信号をＡＤ（アナログ／デジタル）変換して、オフセット調整回路３４、原稿サイズ検知部２４及び本体部１７の画像処理部２７に出力する。オフセット調整回路（オフセット調整手段）３４は、ＡＤＣ回路３３からのデジタル変換された画像信号に基づいてオフセット調整を実行して、ＡＧＣ回路３２にフィードバックする。ここでのオフセット調整とは、ＡＤ変換後のデータに対して黒の基準レベルを所望の数値に安定させる処理である。
【００３３】
信号処理回路制御部２３は、初期設定回路３５、シリアルパラレル変換部（シリパラ変換部）３６、切替回路３７及び制御信号生成回路３８等を備えている。
【００３４】
初期設定回路３５は、電源立ち上げのみで設定信号（出力）が確定する回路であり、リセット期間のみ制御信号生成回路３８に対して作用する。制御信号生成回路３８は、初期設定回路３５による設定により、リセット期間中に信号処理回路２２に対して少なくとも原稿の有無が判別できるような出力信号を生成可能な状態に設定する。また、制御信号生成回路３８は、ＣＣＤ９の駆動回路２５に対してＣＣＤ９の蓄積時間、電荷転送クロック、リセットパルス及びビットクランプパルス等の制御信号を出力し、ＣＣＤ９の駆動制御機能も備えている。
【００３５】
シリアルパラレル変換部３６には、本体部１７の立ち上げ制御部２８からシリアル制御信号が入力され、シリアルパラレル変換部３６は、シリアル制御信号をパラレル変換して切替回路３７に出力する。切替回路３７には、初期設定回路３５からの初期設定信号とシリアルパラレル変換部３６からのパラレル制御信号が入力され、切替回路３７は、本体部１７からのリセット信号に基づいて、初期設定回路３５からの初期設定信号とシリアルパラレル変換部３６からのパラレル制御信号の一方を選択して制御信号生成回路３８に出力し、本体部１７から入力されるリセット信号がアクティブ状態のときには、初期設定回路３５からの設定信号を選択し、ノンアクティブ状態のときには、本体制御部１７の立ち上げ制御部２８からのシリアル制御信号を選択する。
【００３６】
制御信号生成回路３８は、切替回路３７を介して入力される初期設定回路３５からの初期設定信号により予め設定された初期設定値を信号処理回路部２２及び駆動回路部に設定し、また、特に、省エネルギーモードからの復帰時に初期設定回路３５からの基準電圧信号により復帰期間中に信号処理回路２２に対して、ＣＣＤ９の出力によって、少なくとも原稿の有無が判別可能な出力信号が得られる状態に設定する。
【００３７】
また、制御信号生成回路３８は、ＣＣＤ９の駆動回路２５に対してＣＣＤ９の蓄積時間、電荷転送クロック、リセットパルス及びビットクランプパルス等の制御信号を出力し、駆動回路２５を介してＣＣＤ９の駆動を制御する。
【００３８】
そして、信号処理回路２２及び信号処理回路制御部２３は、詳細には、図５に示すように構成されており、特に、信号処理回路２２は、上記クランプ回路３１、ＡＧＣ（ＰＧＡ）回路３２、ＡＤＣ回路３３、ＡＤＣ回路３３、オフセット調整回路３４を構成するオフセットレベル設定部３４ａとＤＡＣ（digital analog convertor）３４ｂ及び加算器２２ａ等を備えている。
【００３９】
信号処理回路制御部３２は、その初期設定回路３５に、ゲイン固定部（ゲイン固定手段）４０とオフセット固定部（オフセット固定手段）４１が接続されている。ゲイン固定部４０は、上記立ち上げ時の信号処理回路２２のゲインを任意のゲイン値（固定ゲイン値）に固定するゲイン固定信号を初期設定回路３５に出力し、このゲイン固定信号は、画像読取装置１の立ち上がり時に、信号処理回路２２の立ち上がりが完了する前に、光源１２をオンにしてＣＣＤ９から出力され、信号処理回路２２でこのゲイン固定信号で設定されるゲインでゲイン調整した画像信号が、原稿のサイズを検知するのに必要な信号となるのに十分なゲインを設定するものである。オフセット固定部４１は、上記立ち上げ時の信号処理回路２２のオフセットを任意のオフセット値（固定オフセット値）に固定するオフセット固定信号を初期設定回路３５に出力し、このオフセット固定信号は、画像読取装置１の立ち上がり時に、信号処理回路２２の立ち上がりが完了する前に、光源１２をオンにしてＣＣＤ９から出力され、信号処理回路２２でこのオフセット固定信号で設定されるオフセットでオフセット調整した画像信号が、原稿のサイズを高精度に検知するのに必要な信号となるのに適切なオフセットを設定するものである。
【００４０】
初期設定回路３５は、上述のように、初期設定信号を切替回路３７に出力するが、このとき、ゲイン固定部４０からのゲイン固定信号を切替回路３７に出力し、また、オフセット固定部４１からのオフセット固定信号を切替回路３７に出力する。切替回路３７は、上述のように、本体部１７から入力されるリセット信号がアクティブ状態のときには、初期設定回路３５からの初期設定信号を選択して制御信号生成回路３８に出力し、ノンアクティブ状態のときには、本体制御部１７の立ち上げ制御部２８からのシリアル制御信号を選択して制御信号生成回路３８に出力する。なお、図５は、立ち上がり期間の状態であって、切替回路３７が初期設定回路３５側を選択している状態を示している。
【００４１】
制御信号生成回路３８は、切替回路３７から入力される制御信号に基づいて、制御信号（クロック、パルス、コマンド等）を信号処理回路２２に出力する。
【００４２】
信号処理回路２２は、そのオフセットレベル設定部３４ａによって、ＡＤＣ回路３３でデジタル変換された画像信号を制御信号生成回路３８によって設定されるオフセット値によってオフセット調整して、ＤＡＣ３４ｂに出力し、ＤＡＣ３４ｂが、オフセット調整された画像信号をデジタル変換して、加算器２２ａに出力する。加算器２２ａには、さらに、クランプ回路３１で直流クランプ処理された画像信号が入力され、加算器２２ａは、クランプ回路３１からの画像信号とＤＡＣ３４ｂからの画像信号を加算して、ＰＧＡ３２に出力する。ＡＧＣ（ＰＧＡ）回路３２は、加算器２２ａからの画像信号を信号処理回路制御部２３の制御信号生成回路３８からのゲイン値でゲイン設定して、ＡＤＣ回路３３に出力し、ＡＤＣ回路３３は、ＡＧＣ回路３２で所望のゲインに設定された画像信号をＡＤ変換して、オフセット調整回路３４、原稿サイズ検知部２４及び本体部１７の画像処理部２７に出力する。
【００４３】
そして、原稿サイズ検知部２４は、信号処理回路２２のＡＤＣ回路３３からの画像信号に基づいてコンタクトガラス４上にセットされた原稿サイズの判断に必要な原稿の端部位置（原稿端部位置）を検知（以下、必要に応じて、原稿サイズ検知という。）するものであり、図６に示すように、比較器５１、基準電圧入力部５２、カウンタ５３及び図示しないＲＡＭ（Random Access Memory）等のメモリ（記憶手段）等を備えている。基準電圧入力部（基準値入力手段）５２は、画像読取装置１の立ち上がりが完了している状態では、所定の比較電圧（比較信号値）を比較器５１に入力し、省エネルギーモードからの復帰時等の立ち上がり時には、立ち上がりが完了していない信号処理回路２２のＡＤＣ回路３３からの１ライン分の画像信号（原稿サイズ検出時の画像信号）から原稿の端部を比較器５１で判別するのに適切な比較基準電圧（比較基準信号値）を比較電圧（比較信号値）として比較器５１に出力する。
【００４４】
比較器（比較手段）５１には、基準電圧入力部５２からの比較電圧以外に、ＡＤＣ回路３３から原稿サイズ検出時の１ライン分の画像信号が入力され、さらに、サンプリングクロックと、図示しないが、主制御部（端部位置指定手段）１８から比較対象位置を指定する比較対象位置指定信号が入力される。なお、比較対象位置指定信号は、少なくとも立ち上がり時に主制御部１８から入力され、原稿端部位置を画素毎に位置指定する場合と、原稿端部位置を所定画素数分の比較対象領域で指定する場合がある。比較器５１は、立ち上がり時には、サンプリングクロックを１ラインの先頭からカウントして、主制御部１８から比較対象位置指定信号で指定された比較対象位置になると、ＡＤＣ回路３３からの画像信号を基準電圧入力部５２からの比較基準電圧（比較基準信号値）と比較して、端部位置検出結果信号の１ライン分のデータを図示しない本体部１７のメモリに出力するとともに、原稿サイズ検知部２４内の図示しないメモリに記憶し、さらに、カウンタ５３に端部位置検出結果信号を出力する。すなわち、比較器５１は、主制御部１８から比較対象位置指定信号が入力されない通常動作時には、信号処理回路２２からの１ライン分の画像信号を比較電圧と比較して、１ライン分の端部位置検出結果信号を本体部１７のメモリに出力し、主制御部１８から原稿端部位置を画素毎に位置指定する比較対象位置指定信号が入力される立ち上がり時には、信号処理回路２２からの画像信号のうち当該比較対象位置の画像信号のみを比較基準電圧と比較して、端部位置検出結果信号を原稿サイズ検知部２４内の図示しないメモリ（記憶手段）に記憶またはカウンタ５３に出力し、さらに、主制御部１８から原稿端部位置を所定画素数分の比較対象領域で指定する比較対象位置指定信号が入力される立ち上がり時には、信号処理回路２２からの画像信号のうち当該比較対象領域の画像信号のみを比較基準電圧と比較して、端部位置検出結果信号を原稿サイズ検知部２４内のメモリ（記憶手段）に記憶またはカウンタ５３に出力する。
【００４５】
カウンタ（カウント手段）５３は、比較器５１から入力される端部位置検出結果信号が原稿有りを示している回数、すなわち、原稿有りの回数をカウントして、カウント結果を原稿サイズ検知部２４内の図示しないメモリ（記憶手段）に記憶する。
【００４６】
そして、主制御部（原稿サイズ判別手段）１８は、通常動作時には、原稿サイズ検知部２４の比較器５１から送られてくる１ライン分の端部位置検出結果信号を本体部１７のメモリに記憶し、このメモリ内の端部位置検出結果信号に基づいて原稿サイズを判別し、また、立ち上がり時であって、原稿サイズ検知部２４内のメモリに、画素毎の端部位置検出結果信号が記憶されているときには、当該メモリの端部位置検出結果信号に基づいて原稿サイズを判別し、さらに、立ち上がり時であって、原稿サイズ検知部２４内のメモリに、カウンタ５３のカウント回数が記憶されているときには、当該メモリの比較対象領域のカウント回数が予め設定された回数以上であると当該比較対象領域に原稿端部位置があると判断して、原稿サイズを判別する処理を行う。
【００４７】
そして、本実施例の画像読取装置１は、画像読取動作時以外の待機状態において、所定時間待機状態が経過すると、操作パネル上の液晶ディスプレイを非表示にしたり、読取部への電源の供給を削減または停止すること等によって、画像読取装置１としてのシステム全体の消費電力を低減させる省エネルギーモードを備えており、この省エネルギーモードにおいて、圧板４が所定角度以上開かれたことを圧板角度検出部５が検出するか、省電力復帰ＳＷ２０が投入（オン）されると、各部への電源の供給の再開等の復帰処理を行って、省エネルギーモードから待機状態に復帰する。
【００４８】
本実施例の画像読取装置１は、電源スイッチがオンされたときの通常モードへの立ち上げ時や省エネルギーモードから通常モードに復帰する立ち上げ時の主制御部１８が完全には立ち上がっていない立ち上がり途中のタイミングで、原稿サイズの判別に必要な原稿検知を高精度に行うところにその特徴がある。
【００４９】
まず、待機状態から省エネルギーモードへの移行処理及び省エネルギーモードから待機状態への原稿サイズ検出処理を伴う移行処理を、図７に基づいて説明する。
【００５０】
画像読取装置１は、通常待機状態（ステップＳ１０１）において、主制御部１８が、操作部の操作や原稿のセット等の操作が行われない状態が予め設定された省電力移行時間経過したかチェックし（ステップＳ１０２）、省電力移行時間が経過していないときには、ステップＳ１０１に戻って、再度省電力移行時間が経過したかチェックする処理を省電力移行時間が経過するまで行う（ステップＳ１０１、Ｓ１０２）。
【００５１】
ステップＳ１０２で、省電力移行時間が経過すると、主制御部１８は、第１キャリッジ６を所定位置（原稿サイズ検知ポジション）に移動させ（ステップＳ１０３）、主要各部への電源の供給を停止または削減する省エネルギーモード（省電力モード）に移行する（ステップＳ１０４）。なお、この省エネルギーモードにおいては、主制御部１８、画像処理部２７、ＳＢＵ１０及びモータ制御部２１等への電源の供給を停止または削減するが、少なくとも省電力制御部２６、省電力復帰ＳＷ２０及び圧板角度検出部５へは、電源の供給を行う。
【００５２】
省電力モードに移行すると、省電力制御部２６は、復帰要因を常に監視して（ステップＳ１０５）、圧板角度検出部５の検出信号から圧板７が開放されたか、または、省電力復帰ＳＷ２０がオンされたかチェックし（ステップＳ１０６）、圧板７の開放または省電力復帰ＳＷ２０のいずれかが検出されると、主制御部１８を起動させる（ステップＳ１０７）。
【００５３】
主制御部１８は、起動されると、圧板角度検出部５の検出信号に基づいて、圧板７が閉じられたタイミングで光源１２を点灯させ（ステップＳ１０８）、原稿サイズ検知部２４で原稿サイズの判別に必要な原稿検知（原稿サイズ検知）を行った後（ステップＳ１０９）、光源１２を消灯する（ステップＳ１１０）。
【００５４】
この原稿サイズ検知部２４での原稿サイズ検知では、信号処理回路２２の立ち上がりが完了する前に、光源１２を点灯させるとともに、基準電圧入力部５２から比較器５１に比較基準電圧を入力し、ＣＣＤ９で光電変換されて信号処理回路２２で信号処理された画像信号を、この比較器５１で比較して、比較結果を端部位置検出結果信号として原稿サイズ検知部２４内のメモリに記憶する。
【００５５】
そして、主制御部１８は、第１キャリッジ６をホームポジションに移動させて（ステップＳ１１１）、駆動回路２５及び信号処理回路２２の立ち上げ動作を行い（ステップＳ１１２）、原稿サイズ検知部２４内のメモリの端部位置検出結果信号に基づいて原稿サイズを判別する原稿サイズ情報の確認を行って（ステップＳ１１３）、原稿の読取開始まで待機する。
【００５６】
そして、上記省エネルギーモードからの復帰時のＳＢＵ１０での動作処理について、図８に基づいて説明する。
【００５７】
ＳＢＵ１０は、省エネルギーモード（省電力モード）からの復帰時、主電源が立ち上がった後にリセット解除を受けると、信号処理回路２２を初期化し、圧板４の検出角度が所定角度Ａを越える状態から所定角度Ａ以下になったことを示す信号を受けて、信号処理回路２２の立ち上がりが完了していなくても、光源１２をオンする。さらに、ＳＢＵ１０は、圧板の検出角度が所定角度Ｂ以下になると、ＣＣＤ９の出力信号（画像信号）を信号処理して、原稿サイズを検知し、その後、立ち上げ信号を受けると、信号処理回路２２の立ち上げを開始し、その後に読取指示信号を受けると、光源１２をオンして、ＣＣＤ９の出力信号を信号処理して、画像処理部２７へ画像データを送る。
【００５８】
すなわち、主制御部１８は、図８に示すように、省電力モードから復帰すると（ステップＳ２０１）、駆動回路２５及び信号処理回路２２を初期設定回路３５からの情報に基づいて、ＳＢＵ１０の各部を初期設定する（ステップＳ２０２）。この初期設定においては、クランプ回路３１についてはクランプ期間及びクランプパルス、ＡＧＣ回路３２についてはゲイン、オフセット調整回路３４についてはオフセット検出期間及び目標値、ＡＤＣ回路３３についてはサンプリングクロックのそれぞれについて原稿の有無が判定できる状態に設定する。
【００５９】
そして、主制御部１８は、圧板７の角度を圧板角度検出部５によって検出し、圧板７のコンタクトガラス３に対する角度（開角度）が予め設定されている所定角度Ａ以下であるかチェックする（ステップＳ２０３）。
【００６０】
ステップＳ２０３で、圧板７の角度が所定角度Ａ以下であると、主制御部１８は、信号処理回路制御部２３及び駆動回路２５を介して光源１２を点灯させ（ステップＳ２０４）、ＣＣＤ９で読み取って信号処理回路２２のＡＤＣ回路３３から出力される画像信号（ＡＤデータ）をＳＢＵ１０の原稿サイズ検知部２４に取り込み（ステップＳ２０５）、圧板７の角度が所定角度Ａよりも小さい予め設定されている所定角度Ｂ以下になったかチェックする（ステップＳ２０６）。ステップＳ２０６で、圧板７の角度が所定角度Ｂよりも大きいときには、主制御部１８は、ステップＳ２０６に戻ってＡＤデータの取り込みを継続して、再度、所定角度Ｂ以下になったかチェックする（ステップＳ２０５、Ｓ２０６）。
【００６１】
ステップＳ２０６で、圧板７の角度が所定角度Ｂ以下になると、主制御部１８は、原稿サイズ検知部２４で原稿サイズの判別に必要な原稿サイズ検知を行って、原稿サイズ検知部２４内のメモリに記憶（確定）する（ステップＳ２０７）。
【００６２】
一方、ステップＳ２０３で、圧板７のコンタクトガラス３に対する角度が所定角度Ａよりも大きい場合には、主制御部１８は、操作部のスタートキーがオンされるのを待って（ステップＳ２０８、Ｓ２０３）、スタートキーがオンされると、このタイミングで、光源１２を点灯して（ステップＳ２０９）ＡＤＣ回路３３の出力（ＡＤデータ）を取り込み（ステップＳ２１０）、原稿サイズ検知部２４で原稿サイズを検知して、確定する（ステップＳ２０７）。
【００６３】
そして、上記原稿サイズ検知部２４での原稿サイズの検知及び確定では、上記同様に、信号処理回路２２の立ち上がりが完了する前に、光源１２を点灯させるとともに、基準電圧入力部５２から比較器５１に比較基準電圧を入力し、ＣＣＤ９で光電変換されて立ち上がりが完了する前の信号処理回路２２で信号処理された画像信号を、この比較器５１で比較して、比較結果を端部位置検出結果信号として原稿サイズ検知部２４内のメモリに記憶する。
【００６４】
主制御部１８は、原稿サイズを確定（判別）すると、光源１２を消灯し（ステップＳ２１１）、第１キャリッジ６をホームポジションに移動させ（ステップＳ２１２）、駆動クロック及び信号処理回路制御部２３のリセットを解除する（ステップＳ２１３）。すなわち、ステップＳ２０１からステップＳ２１２の各工程では、信号処理回路制御部２３は、リセット状態となっている。
【００６５】
なお、ステップＳ２０３で圧板７の角度が所定角度Ａ以下の場合、あるいは、スタートキーがオン（当然、圧板７は閉じられている）の場合に光源が点灯するようになっているが（ステップＳ２０４、Ｓ２０９）、これは、圧板７が完全に開けられている状態では光源１２を点灯せず、閉じようとする際に点灯させることによって、使用者の目に光が入りにくいようにしている。
【００６６】
そして、信号処理回路制御部２３のリセットを解除すると、主制御部１８は、信号処理回路２２を含むＳＢＵ１０の初期設定、すなわち、立ち上げ動作を実行する（ステップＳ２１４）。立ち上げ動作は、クランプ回路３１についてはクランプ期間及びクランプパルス、ＡＧＣ回路３２についてはゲイン、オフセット調整回路３４についてはオフセット検出期間及び目標値、ＡＤＣ回路３３についてはサンプリングクロックのそれぞれについて通常の読み取り動作が行われる状態に設定する。
【００６７】
主制御部１８は、初期設定が終了すると、原稿サイズ検知部２４の検知結果に基づいて原稿サイズを判別（原稿サイズ情報を確認）し（ステップＳ２１５）、スタートキーがオンされるのを待って（ステップＳ２１６）、スタートキーがオンされると、この時点で光源を点灯して（ステップＳ２１７）、原稿の読取動作を開始する（ステップＳ２１８）。主制御部１８は、原稿の読取動作を開始すると、読み取って得られてＡＤデータをＡＤＣ変換３３から画像処理部２７に出力する（ステップＳ２１９）。
【００６８】
そして、図９は、図７及び図８の処理における圧板角度検出部５の角度検知信号（オフ→オン→オフ、オフになったばかりの期間）、電力制御信号（省電力→スタンバイ）、サイズ検知信号（オフ→オン）、立ち上がり信号（立ち上げ制御）及び第１キャリッジ６の移動タイミングをそれぞれ示すタイミングチャートである。
【００６９】
図９のタイミングチャートから分かるように、圧板７を開放する過程で角度検知信号が立ち上がり、電源が省エネルギーモードからスタンバイ状態（待機状態）に移行し（図７のステップＳ１０６、Ｓ１０７）、サイズ検知信号がオンになる。そして、圧板７が閉鎖される際に、角度検知信号が立ち下がり、所定角度Ａのタイミングで、光源１２が点灯し（図７のステップＳ１０８、図８のステップＳ２０４）、原稿のサイズ検知が行われ（図７のステップＳ１０９、図８のステップＳ２０５）、圧板７が所定角度Ｂまで閉じられると（図８のステップＳ２０６）、サイズ検知信号がオフとなってサイズが確定する（図８のステップＳ２０７）。その後、光源１２が消灯され（図７のステップＳ１１０、図８のステップＳ２１１）、第１キャリッジ６のサイズ検知位置からホームポジションへの移動が開始され（図７のステップＳ１１１、図８のステップＳ２１２）、信号処理回路制御部２３のリセット状態が解除されて（図８のステップＳ２１３）、このリセット解除をトリガとして信号処理回路２２の立ち上げ制御が実行される（図７のステップＳ１１２、図８のステップＳ２１４）。この信号処理回路２２の立ち上げ制御の間に、第１キャリッジ６がホームポジションに到達し、ホームポジションで待機する。この待機時に、光源１２がＡＧＣ処理のため、再び点灯され、ＡＧＣ処理のためのデータを取得する。そして、立ち上げが完了すると、再度、光源１２が原稿読取のために点灯され、原稿読取がスタートし、第１キャリッジ６も副走査方向への移動走査を開始する。
【００７０】
そして、図１０は、信号処理回路２２の立ち上げ動作の説明図であり、信号の出力タイミングと信号処理回路２２の回路構成を示している。図１０において、信号処理回路２２は、上述のように、クランプ回路３１、ＡＧＣ（ＰＧＡ）回路３２、ＡＤＣ回路３３及びオフセット調整回路３４からなり、オフセット調整回路３４は、オフセットレベル設定部３４ａと、ＤＡＣ３４ｂからなる。信号処理回路２２は、ＣＣＤ９からアナログ回路２６を介してクランプ回路２７に入力される画像信号をクランプ回路２７でクランプしたクランプ出力とオフセット調整回路３４のＤＡＣ出力とを加算器２２ａによって加算して、ＰＧＡ３２に入力する。
【００７１】
このときの各部の動作タイミングは、図１０に示すように、先ず、電源がオンされ、ＣＣＤ９の出力（ＣＣＤ出力）、アナログ回路２９の出力（アナログ回路出力）、クランプ回路３１の出力（クランプ回路出力）がそれぞれ立ち上がり、また、ＡＧＣ（ＰＧＡ）回路３２の入出力（ＰＧＡ入力、ＰＧＡ出力）が立ち上がる。
【００７２】
ＣＣＤ出力は、１ライン毎に出力が発生するが、アナログ回路出力は、ＣＣＤ出力を増幅するため、ＣＣＤ９からの読み取り出力の前にもその出力レベルが上がる。このアナログ回路出力をクランプ回路２７でクランプしてクランプ回路出力としてＡＧＣ（ＰＧＡ）回路３２に入力（ＰＧＡ入力）し、このクランプ回路出力に基づいてＰＧＡ回路入力で黒レベルの調整が行われ、ＰＧＡ回路出力ゲインの調整が行われる。クランプ回路３１では、クランプパルス出力期間が最適化される。
【００７３】
一方、光源１２は、ＣＣＤ９が立ち上がった後に、オンされ、信号処理回路リセット信号がリセット解除状態になる過程で、クランプパルス出力期間の最適化、クランプ回路出力のクランプパルス、ＰＧＡ回路入力の黒レベルの調整、ＰＧＡ回路出力のゲインの調整、ＡＤサンプリングクロック出力期間の位相調整が、それぞれ行われて、通常の原稿読取動作が行われる状態になる。このとき、ＡＤＣ回路２９のサンプリングポイントもサンプリングクロックの立ち上がり時でピーク値をサンプリングできるタイミングに最適化されて設定される。
【００７４】
このように、ＳＢＵ１０の信号処理回路２２は、立ち上げ完了前に光源１２をオンしたときのＣＣＤ９の出力（原稿サイズ検知用画像信号）を信号処理して出力した後に、立ち上げを開始する。また、ＡＤＣ回路２９は、画像読取装置１が省エネルギーモード（省電力モード）から待機状態（スタンバイ状態）に復帰した際に、直ちに、ＣＣＤ９の出力をサンプリングできるように、信号出力期間での信号サンプリング動作を省エネルギーモードからの復帰と同時に始動する。この始動は、ＳＢＵ１０に対して外部からのリセット信号が解除されることのみで状態が確定する回路、または、画像読取装置１の主電源の立ち上がりにより状態が確定する回路によって省エネルギーモードからの復帰と同時にサンプリング状態が確定するように構成することで、実現することができる。
【００７５】
したがって、信号サンプリング動作を省エネルギーモードからの復帰と同時に始動するため、上述のような機能を有する図示しない回路が設けられている。同様に、クランプ回路３１も、省エネルギーモードから待機状態に復帰した際に、直ちにＣＣＤ９の出力をクランプできるように、クランプ動作を省エネルギーモードからの復帰と同時に始動する。この始動も、ＳＢＵ１０に対して外部からのリセット信号が解除されることのみで状態が確定する回路、または、画像読取装置１の主電源の立ち上がりにより状態が確定する回路によって省エネルギーモードからの復帰と同時にクランプ状態が確定するように構成することで実現することができる。したがって、クランプ動作を省エネルギーモードからの復帰と同時に始動するために、上述のような機能を有する図示しない回路が設けられている。同様に、ＡＧＣ（ＰＧＡ）回路３２は、省エネルギーモードから待機状態に復帰した際に、直ちにＣＣＤ９の出力が飽和することなくＡＤＣ回路３３でＡＤ変換できるように、ゲインを省エネルギーモードからの復帰と同時にゲイン固定部４０の出力するゲイン固定信号で確定する。このゲイン値の確定は、ＳＢＵ１０に対して外部からのリセット信号が解除されることのみで状態が確定する回路、または、主電源立ち上がりにより状態が確定する回路によって省エネルギーモードからの復帰と同時にゲイン状態が確定するように構成することで実現することができる。したがって、ＡＧＣ（ＰＧＡ）回路３２のゲインを省エネルギーモードからの復帰と同時に確定して始動するために、上述のような機能を有する図示しない回路が設けられている。さらに、オフセット調整回路３４は、省エネルギーモードから待機状態に復帰した際に、直ちにＣＣＤ９の出力が適切な検出値となるように、オフセットを省エネルギーモードからの復帰と同時にオフセット固定部４１の出力するオフセット固定信号で確定する。このオフセットの確定は、ＳＢＵ１０に対して外部からのリセット信号が解除されることのみで状態が確定する回路、または、主電源立ち上がりにより状態が確定する回路によって省エネルギーモードからの復帰と同時にオフセット状態が確定するように構成することで実現することができる。したがって、オフセット調整回路３４のオフセットを省エネルギーモードからの復帰と同時に確定して始動するために、上述のような機能を有する図示しない回路が設けられている。なお、上記ゲイン及びオフセットの設定・調整については、後で詳細に説明する。
【００７６】
また、図７のフローチャートに示したように、ステップＳ１０９で、原稿サイズ検知部２４によって原稿のサイズ検知（原稿端部位置検知）を行っているが、この時点では、信号処理回路２２は、立ち上げられていない。信号処理回路２２の立ち上げ動作は、図７のステップＳ１１２で行われる。同様に、図８のフローチャートにおいても、ステップＳ２０７で原稿サイズ検知部２４によって原稿サイズを確定した後、ステップＳ２１４で、信号処理回路２２の立ち上げを行っている。すなわち、図９のタイミングチャートから分かるように、信号処理回路２２の立ち上げ開始前に、原稿サイズ情報を信号処理しており、この信号処理回路２２の立ち上げ開始前の信号処理は、図４に示した初期設定回路３５の機能に基づく。
【００７７】
上述のように、本実施例の画像読取装置１は、信号処理回路２２の立ち上げ完了前に、光源１２を点灯し、当該立ち上げ完了前の信号処理回路２２で信号処理された画像信号を、基準電圧入力部５２から入力される比較基準信号（比較基準電圧）と比較して、端部位置検出結果信号を原稿サイズ検知部２４のメモリに記憶している。
【００７８】
したがって、立ち上げ完了後等に、原稿サイズ検知部２４のメモリの端部位置検出結果信号に基づいて原稿サイズを判別することで、信号処理回路２２の立ち上がり完了を待つことなく、速やかに原稿サイズを検知することができ、省エネルギーモードからの復帰時間等の立ち上がり時間を短縮させることができる。
【００７９】
そして、サイズ情報の信号処理中に立ち上げ開始が発生した場合には、図１１に示すように処理を行う。
【００８０】
すなわち、主制御部１８は、図１１に示すように、通常待機状態（ステップＳ３０１）において、操作部の操作や原稿のセット等の操作が行われない状態が予め設定された省電力移行時間経過したかチェックし（ステップＳ３０２）、省電力移行時間が経過していないときには、ステップＳ３０１に戻って、再度省電力移行時間が経過したかチェックする処理を省電力移行時間が経過するまで行う（ステップＳ３０１、Ｓ３０２）。
【００８１】
ステップＳ３０２で、省電力移行時間が経過すると、主制御部１８は、第１キャリッジ６を所定位置（原稿サイズ検知ポジション）に移動させた後（ステップＳ３０３）、主要各部への電源の供給を停止または削減する省エネルギーモード（省電力モード）に移行する（ステップＳ３０４）。
【００８２】
省電力モードに移行すると、省電力制御部２６は、復帰要因、ここでは、圧板７の開閉を圧板角度検出部５からの検出信号によって常に監視して（ステップＳ３０５）、圧板角度検出部５の検出信号から圧板７がコンタクトガラス３に対して所定角度Ｂ以上開放されたかチェックし（ステップＳ３０６）、圧板７が所定角度Ｂ以上開放されたことを検出すると、省エネルギーモードから復帰し（ステップＳ３０７）、圧板角度検出部５からの検出信号によって圧板７が所定角度Ａ以下に閉じられたかチェックする（ステップＳ３０８）。
【００８３】
ステップＳ３０８で、圧板７が所定角度以下に閉じられると、主制御部１８は、光源１２を点灯させ（ステップＳ３０９）、ＣＣＤ９で読み取って信号処理回路２２のＡＤＣ回路３３から出力される出力信号（ＡＤデータ）をＳＢＵ１０の原稿サイズ検知部２４に取り込み（ステップＳ３１０）、圧板７の角度が所定角度Ａよりも小さい予め設定されている所定角度Ｂ以下になったかチェックする（ステップＳ３１１）。ステップＳ３１１で、圧板７の角度が所定角度Ｂよりも大きいときには、主制御部１８は、ステップＳ３１０に戻ってＡＤデータの取り込みを継続して、再度、所定角度Ｂ以下になったかチェックする（ステップＳ３１０、Ｓ３１１）。
【００８４】
ステップＳ３１１で、圧板７の角度が所定角度Ｂ以下になると、主制御部１８は、原稿サイズ検知部２４で原稿サイズを検知して、確定する（ステップＳ３１２）。
【００８５】
一方、ステップＳ３０８で、圧板７のコンタクトガラス３に対する角度が所定角度Ａよりも大きい場合には、主制御部１８は、操作部のスタートキーがオンされるのを待って（ステップＳ３０８、Ｓ３１３）、スタートキーがオンされると、このタイミングで、光源１２を点灯して（ステップＳ３１４）ＡＤＣ回路３３の出力（ＡＤデータ）を取り込み（ステップＳ３１５）、原稿サイズ検知部２４で原稿サイズ（原稿端部位置）を検知して、原稿サイズ検知部２４内のメモリに記憶（確定）する（ステップＳ３１２）。
【００８６】
主制御部１８は、原稿サイズを確定すると、光源１２を消灯し（ステップＳ３１６）、第１キャリッジ６をホームポジションに移動させ（ステップＳ３１７）、信号処理回路制御部２３を含むＳＢＵ１０の初期設定、すなわち、立ち上げ動作を実行する（ステップＳ３１８）。
【００８７】
主制御部１８は、初期設定が終了すると、原稿サイズ検知部２４の検知結果であるメモリ内の端部位置検出結果信号に基づいて原稿サイズを判別（原稿サイズ情報を確認）し（ステップＳ３１９）、スタートキーがオンされるのを待って（ステップＳ３２０）、スタートキーがオンされると、この時点で光源を点灯して、原稿の読取動作を開始する。
【００８８】
なお、図１１のフローチャートでは、ステップＳ３０８及びステップＳ３１３の判断処理から分かるように、省エネルギーモードからの復帰後、圧板７の角度が所定角度Ａ以下になるか、スタートキーが押されない限り、ステップＳ３１８で信号処理回路２２に対して立ち上げ動作が実行されることはなく、原稿サイズ情報を信号処理している最中に立ち上げ動作が開始されることはない。また、ステップＳ３２０で、スタートキーオンが読み取り動作開始条件となっているので、ステップＳ３０６で、圧板７が開放されたときに、ステップＳ３１３で一度スタートキーがオンされたとしても、再度。スタートキーがオンされないと（ステップＳ３２０）、原稿読取動作は開始されない。
【００８９】
このように、本実施例の画像読取装置１は、信号処理回路２２の立ち上げ完了を待たずに光源１２をオンにしてＣＣＤ９から画像信号を出力することにより、信号処理回路２２の立ち上げの完了を待たずに、少なくとも原稿端部位置を検出して原稿のサイズを検知するのに必要な信号（端部位置検出結果信号）を得ることができる。したがって、信号処理回路２２の立ち上げ時間に起因する原稿のサイズ検知タイミングの遅れを解消することができる。なお、原稿のサイズを検知するために必要な信号（端部位置検出信号）を得てさえおけば、当該信号に基づき主制御部１８が原稿のサイズを判別するのは、後でも良い。
【００９０】
また、立ち上げ制御部２８と信号処理回路制御部２３のシリアル通信に起因して、信号処理回路２２の立ち上げはさらに遅れるおそれがあるが、立ち上げ制御部２８は省エネルギーモードから待機状態に復帰するときに、信号処理回路２２の立ち上げを開始させるので、立ち上がり遅れによる影響を回避することができる。
【００９１】
そして、上記図７の処理では、立ち上げ制御部２８において、ある程度の画像出力が得られるようになっており、このデータにより原稿サイズ検知（原稿端部位置検知）を行っている。
【００９２】
ところが、さらに精度を向上させるために、本実施例では、上述のように、立ち上がり時に、原稿サイズ検知部２４の原稿端部位置の検出を行う比較器５１に、基準電圧入力部５２から比較基準電圧を入力して、比較器５１の比較電圧（比較信号値）を比較基準電圧（比較基準信号値）に設定するだけでなく、図１２に示すように、信号処理回路２２のＡＧＣ（ＰＧＡ）回路３２のゲインをゲイン固定部４０で設定し、さらに、信号処理回路２２のオフセット調整回路３４のオフセットをオフセット固定部４１で設定している。なお、図１２において、図７と同様の処理ステップについては、同一のステップナンバーを付して、その説明を簡略化する。
【００９３】
すなわち、図１２に示すように、画像読取装置１は、通常待機状態（ステップＳ１０１）において、主制御部１８が、操作部の操作や原稿のセット等の操作が行われない状態が省電力移行時間経過すると（ステップＳ１０２）、第１キャリッジ６を所定位置（原稿サイズ検知ポジション）に移動させ（ステップＳ１０３）、省エネルギーモード（省電力モード）に移行する（ステップＳ１０４）。省電力モードに移行すると、省電力制御部２６は、復帰要因を常に監視して（ステップＳ１０５）、圧板７の開放または省電力復帰ＳＷ２０のいずれかが検出されると（ステップＳ１０７）、主制御部１８を起動させる（ステップＳ１０７）。
【００９４】
そして、主制御部１８は、起動されると、原稿サイズ検知部２４の基準電圧入力部５２から比較器５１に比較基準電圧（比較基準信号値）を入力して設定し（ステップＳ４０１）、信号処理回路制御部２３によって信号処理回路２２のＡＧＣ（ＰＧＡ）回路３２のゲインをゲイン固定部４０からの固定ゲイン（外部設定ゲイン）に設定し（ステップＳ４０２）、さらに、信号処理回路制御部２３によって信号処理回路２２のオフセット調整回路３４のオフセットをオフセット固定部４１からの固定オフセット（外部設定オフセット）に設定する（ステップＳ４０３）。
【００９５】
主制御部１８は、起動されると、圧板角度検出部５の検出信号に基づいて、圧板７が閉じられたタイミングで光源１２を点灯させ（ステップＳ１０８）、原稿サイズ検知部２４の比較器５１が、ＣＣＤ９で読み取られＡＤＣ回路３３でデジタル変換された原稿サイズ検出時の１ライン分の画像信号を基準電圧入力部５２からの比較基準電圧（比較基準信号値）と比較して（ステップＳ４０４）、比較結果（端部位置検出結果信号）を原稿サイズ検知部２４内のＲＡＭ等のメモリに記憶し（ステップＳ４０５）、光源１２を消灯する（ステップＳ１１０）。
【００９６】
そして、主制御部１８は、第１キャリッジ６をホームポジションに移動させて（ステップＳ１１１）、駆動回路２５及び信号処理回路２２の立ち上げ動作を行い（ステップＳ１１２）、原稿サイズ検知部２４内のメモリの端部位置検出結果信号に基づいて原稿サイズ情報を確認（原稿サイズを判別）した後（ステップＳ１１３）、原稿の読取開始まで待機する。
【００９７】
このようにすると、信号処理回路２２の立ち上がりが完了する前であっても、原稿端部位置をより正確に検知することができ、より正確に原稿サイズを判別することができる。
【００９８】
また、上記図１２の処理においては、原稿サイズ検出時に、１ライン分の画像データを原稿サイズ検知部２４内のメモリに記憶しているため、少なくとも１ライン分のメモリ容量を有するメモリが必要となる。
【００９９】
ところが、原稿サイズは、原稿サイズの検出に必要な領域の画像データの変化によってのみ判断することができるため、図１３に示すように、この原稿サイズ検出領域の画素データのみを取り出して、原稿サイズ検知部２４内のメモリに記憶して、原稿サイズの判定を行うようにしてもよい。なお、図１３において、図７及び図１２の処理と同様の処理ステップについては、同一のステップナンバーを付して、その説明を簡略化する。
【０１００】
すなわち、図１３に示すように、画像読取装置１は、通常待機状態（ステップＳ１０１）において、主制御部１８が、操作部の操作や原稿のセット等の操作が行われない状態が省電力移行時間経過すると（ステップＳ１０２）、第１キャリッジ６を所定位置（原稿サイズ検知ポジション）に移動させ（ステップＳ１０３）、省エネルギーモード（省電力モード）に移行する（ステップＳ１０４）。省電力モードに移行すると、省電力制御部２６は、復帰要因を常に監視して（ステップＳ１０５）、圧板７の開放または省電力復帰ＳＷ２０のいずれかが検出されると（ステップＳ１０７）、主制御部１８を起動させる（ステップＳ１０７）。
【０１０１】
そして、主制御部１８は、起動されると、原稿サイズ検知部２４の基準電圧入力部５２から比較器５１に比較基準電圧（比較基準信号値）を入力して設定し（ステップＳ４０１）、信号処理回路制御部２３によって信号処理回路２２のＡＧＣ（ＰＧＡ）回路３２のゲインをゲイン固定部４０からの固定ゲイン（外部設定ゲイン）に設定し（ステップＳ４０２）、さらに、信号処理回路制御部２３によって信号処理回路２２のオフセット調整回路３４のオフセットをオフセット固定部４１からの固定オフセット（外部設定オフセット）に設定する（ステップＳ４０３）。主制御部１８は、原稿サイズ検知部２４のカウンタ５３に原稿サイズ検出位置として比較する比較対象位置の画素数をセットし（ステップＳ５０１）、圧板角度検出部５の検出信号に基づいて、圧板７が閉じられたタイミングで光源１２を点灯させ（ステップＳ１０８）、
次に、比較器５１は、信号処理回路２２からの１ライン分の画像信号を先頭画素からカウントを開始し（ステップＳ５０２）、ステップＳ５０１で設定された原稿検出位置である比較対象位置の画素であるか判別する（ステップＳ５０３）。ステップＳ５０３で、画像信号の画素が比較対象位置の画素でないときには、比較器５１は、次の画像信号について同様に判断する処理を繰り返し行い（ステップＳ５０３）、画像信号の画素が比較対象位置の画素であると、当該画像信号の画素を、基準電圧入力部５２からの比較基準電圧（比較基準信号値）と比較する（ステップＳ４０４）。
【０１０２】
このとき、比較器５１に入力される１ライン分の画像信号は、信号処理回路２２の上記ゲイン設定されたＡＧＣ（ＰＧＡ）回路３２によってゲイン調整され、さらに、上記オフセット設定されたオフセット調整回路３４でオフセット調整された後にＡＤＣ回路２９でアナログ／デジタル変換された信号である。したがって、信号処理回路２２は、立ち上がり途中であっても、適切かつ十分に信号処理を行うことができ、比較器５１は、原稿の端部の検出を適切かつ正確に行うことができる。
【０１０３】
比較器５１は、画像信号と比較基準電圧の比較を行うと、端部位置検出結果信号を原稿サイズ検知部２４内のメモリに記憶する（ステップＳ５０４）。
【０１０４】
比較器５１は、比較対象位置の端部位置検出結果信号を原稿サイズ検知部２４内の内部メモリに記憶すると、１ライン分の画素信号に対して処理が終了したかチェックし（ステップＳ５０５）、１ライン分の処理が終了していないときには、ステップＳ５０３に戻って、上記同様に処理して（ステップＳ５０３、Ｓ４０４、Ｓ５０４、Ｓ５０５）、１ライン分の処理が終了すると、光源１２を消灯する（ステップＳ１１０）。
【０１０５】
そして、主制御部１８は、第１キャリッジ６をホームポジションに移動させて（ステップＳ１１１）、駆動回路２５及び信号処理回路２２の立ち上げ動作を行い（ステップＳ１１２）、原稿サイズを原稿サイズ検知部２４内のメモリの端部位置検出結果信号に基づいて判別（原稿サイズ情報を確認）した後（ステップＳ１１３）、原稿の読取開始まで待機する。
【０１０６】
このようにすると、原稿サイズ検知部２４内のメモリの容量を削減することができるとともに、光学系の影響を受けることなく、より一層正確に原稿端部位置の検出（原稿サイズ検知）の検出を行うことができ、より一層正確に原稿サイズを判別することができる。
【０１０７】
なお、上記図１３の処理では、主制御部１８が、原稿サイズを検知するのに必要な原稿端部位置を比較対象位置として画素位置で比較器５１に指定し、比較器５１がこの指定された画素位置の画像信号を比較基準電圧と比較しているが、画素指定に限るものではなく、領域指定であってもよい。
【０１０８】
この場合、主制御部１８は、原稿サイズを検知するのに必要な原稿端部位置を含む所定幅の比較対象領域を比較対象位置として比較器１５に指定し、比較器５１が、この指定された比較対象領域に属する各画像信号を比較基準電圧と比較する。
【０１０９】
また、この比較対象の画像信号を領域指定する場合、比較器５１の比較結果（端部位置検出結果信号）を原稿サイズ検知部２４内のメモリに記憶して、このメモリ内の端部位置検出結果信号に基づいて主制御部１８が原稿サイズの判別を行うものに限るものではない。
【０１１０】
すなわち、比較器５１が、比較結果である端部位置検出結果信号をカウンタ５３に出力し、カウンタ５３が、比較器５１からの端部位置検出結果信号を比較対象領域毎に原稿ありか否かをチェックして原稿ありを示している端部位置検出結果信号の数をカウントして、この比較対象領域毎のカウント結果を原稿サイズ検知部２４内のメモリに記憶する。そして、主制御部１８が、この原稿サイズ検知部２４内のメモリの比較対象領域毎のカウント数を、予め設定されている基準カウント数と比較して、基準カウント数以上のカウント数の比較対象領域を原稿端部位置ありの領域として、原稿サイズの判別を行う。
【０１１１】
このようにすると、コンタクトガラス３上への原稿のセット状態に関わらず、高価なソフトウェアを用いることなく、原稿端部位置を高精度に検出することができるとともに、原稿サイズ検知部２４内のメモリの容量を削減することができ、安価にかつ高精度に原稿サイズを判別することができる。
【０１１２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１１３】
省エネルギーモードを備え、原稿セット等の復帰要因によって省エネルギーモードから画像読取装置が復帰する際に原稿サイズを検出する原稿サイズ検出装置一般に適用することができる。
【図面の簡単な説明】
【０１１４】
【図１】本発明の原稿サイズ検出装置の一実施例を適用した画像読取装置の要部概略構成図。
【図２】図１の画像読取装置の側面図。
【図３】図１及び図２の画像読取装置の要部概略ブロック構成図。
【図４】図３のＳＢＵの回路ブロック構成図。
【図５】図４のＳＢＵの詳細な回路ブロック構成図。
【図６】図４の原稿サイズ検知部の要部回路ブロック構成図。
【図７】図１の画像読取装置の待機状態から省エネルギーモードをへて立ち上がるまでの制御処理を示すフローチャート。
【図８】図１の画像読取装置の省エネルギーモードからの復帰時のＳＢＵでの動作処理を示すフローチャート。
【図９】図７及び図８の処理における検出角度信号、電源、光源、サイズ検知信号、リセット信号、立ち上がり信号及び第１キャリッジ位置をそれぞれ示すタイミングチャート。
【図１０】図５の信号処理回路の立ち上げ動作の説明図。
【図１１】図７の復帰動作処理でのサイズ情報の信号処理中に立ち上げ開始が発生した場合の復帰動作処理を示すフローチャート。
【図１２】図７の復帰動作処理で外部ゲイン設定及び外部オフセット設定を行う場合の復帰動作処理を示すフローチャート。
【図１３】図１３の復帰動作処理で原稿サイズ検出領域の画素データのみを取り出して処理する場合の復帰動作処理を示すフローチャート。
【符号の説明】
【０１１５】
１  画像読取装置
２  本体筐体
３  コンタクトガラス
４  圧板
５  圧板角度検出部
６  第１キャリッジ
７  第２キャリッジ
８  結像レンズ
９  ＣＣＤ
１０  センサーボードユニット（ＳＢＵ）
１１  光学エレメント
１２  光源
１３  第１ミラー
１４  第２ミラー
１５  第３ミラー
１７  本体部
１８  主制御部
１９  白基準板
２０  省電力復帰ＳＷ
２１  モータ制御部
２２  信号処理回路
２２ａ  加算器
２３  信号処理回路制御部
２４  原稿サイズ検知部
２５  駆動回路
２６  省電力制御部
２７  画像処理部
２８  立ち上げ制御部
２９  アナログ処理回路
３１  クランプ回路
３２  ＡＧＣ（ＰＧＡ）回路
３３  ＡＤＣ回路
３４  オフセット調整回路
３４ａ  オフセットレベル設定部
３４ｂ  ＤＡＣ
３５  初期設定回路
３６  シリアルパラレル変換部（シリパラ変換部）
３７  切替回路
３８  制御信号生成回路
４０  ゲイン固定部
４１  オフセット固定部
【図１】
2007060211.tif 000003
【図２】
2007060211.tif 000004
【図３】
2007060211.tif 000005
【図４】
2007060211.tif 000006
【図５】
2007060211.tif 000007
【図６】
2007060211.tif 000008
【図７】
2007060211.tif 000009
【図８】
2007060211.tif 000010
【図９】
2007060211.tif 000011
【図１０】
2007060211.tif 000012
【図１１】
2007060211.tif 000013
【図１２】
2007060211.tif 000014
【図１３】
2007060211.tif 000015